(57)【特許請求の範囲】
【請求項１】
上端開口と下端開口を有しており、下端部内壁に溶解液容器の口部への固定手段を備えた円筒状のアダプターと、該アダプターの上端部内壁に該内壁に沿って摺動可能に係合保持された両頭針を含んでなり、前記固定手段が、下端から上端方向に内側に傾斜して設けられた複数の可撓性係合腕と、該係合腕より上端側に溶解液容器の口部を挟持可能に所定距離隔てて設けられた衝合突板からなり、前記アダプターの下端開口に溶解液容器の口部を挿着したときに、前記係合腕と衝合突板の間に溶解液容器の口部が挟持され固定されると共に、両頭針の環状リブより低い小さな環状の両頭針係止用リブを前記両頭針の環状リブの幅より若干広い間隔を置いて２本設けて、両頭針を挿脱自在に係止可能としたことを特徴とする溶解液注入器具。
【請求項２】
両頭針が、上端と下端を有する円筒状のスカートと、該スカートの下端側に偏在してスカートの内空間を上下に区画する円板状のハブと、該ハブの軸上、ハブを貫通して設けられた穿刺針を含んでなり、前記スカートの下端に近接して環状リブが設けられた請求項１に記載の注入器具。
【請求項３】
アダプターの衝合突板より上端側に所定距離隔てて、両頭針のキックバックを防止するキックバック防止用リブが設けられた請求項２に記載の注入器具。
【請求項４】
前記２本の両頭針係止用リブを、前記アダプターの上端に近接して設けた請求項２または３に記載の注入器具。
【請求項５】
両頭針のハブより下側のスカートにスリットが設けられた請求項２〜４に記載の注入器具。
【請求項６】
アダプターの上端開口がキャップで閉鎖されてなる請求項１〜５に記載の注入器具。
【発明の詳細な説明】
【０００１】
【発明の属する技術分野】
本発明は、溶解液容器と薬剤容器を連通させて、溶解液容器の溶解液を薬剤容器の中に注入し、薬剤容器の薬剤と混合して液剤にするのに好適な溶解液注入器具に関する。
【０００２】
【従来の技術】
従来、用時に溶解液と薬剤とを混合して液剤を調製する場合、溶解液容器と薬剤容器とを両頭針を用いて連通する方法が多用されており、最近では、両頭針を溶解液容器や薬剤容器に一体的に組み込んだものや（実開昭５９−４１４２４号公報、実開昭６３−１３５６４２号公報、特開平３−７７５５７号公報、特開平９−２０２３６４号公報など）、溶解液容器と薬剤容器と両頭針とを一体的に組み込み、無菌的に調製できるようにしたもの（特開平２−１２７７号公報、特開平５−１７６９７０号公報、特開平６−１４９７３号公報など）等が提案されている。
【０００３】
しかしながら、上記の両頭針を溶解液容器及び／または薬剤容器に一体的に組み込んだものは、溶解液容器及び／または薬剤容器が限定されており、任意の薬剤と溶解液（液状の薬剤を含む）を混合することのできないものであった。一方、両頭針だけを使って溶解液容器と薬剤容器を連通し、溶解液容器の溶解液を薬剤容器に移して薬剤を溶解する方法は、煩雑で手間のかかる操作であるうえ、外気中で薬剤の入った容器に穴を明ける操作を行うので、中の薬剤が汚染される虞があり、問題である。
【発明が解決しようとする課題】
本発明は如上の事情に鑑みてなされたもので、任意の薬剤と溶解液を混合することができ、しかも、操作が簡単で、中の薬剤が汚染される虞のない溶解液注入器具を提供することを目的とする。
【０００４】
【課題を解決するための手段】
本発明者等は、上記の課題を解決するために鋭意検討の結果、両頭針をその内壁に沿ってスライド可能に収容保持するアダプターを採用し、これを、用時に薬剤容器または溶解液容器に容易に装着可能であり、かつ脱落やぐらつきの生じないように強固に固定可能なものにすれば良いことに想到し、本発明を完成した。すなわち本発明は、上端開口と下端開口を有しており、下端部内壁に溶解液容器の口部への固定手段を備えた円筒状のアダプターと、このアダプターの上端部内壁にこの内壁に沿って摺動可能に係合保持された両頭針を含んでなり、前記固定手段が、下端から上端方向に内側に傾斜して設けられた複数の可撓性係合腕と、この係合腕より上端側に溶解液容器の口部を挟持可能に所定距離隔てて設けられた衝合突板からなり、前記アダプターの下端開口に溶解液容器の口部を挿着したときに、前記係合腕と衝合突板の間に溶解液容器の口部が挟持され固定されると共に、両頭針の環状リブより低い小さな環状の両頭針係止用リブを前記両頭針の環状リブの幅より若干広い間隔を置いて２本設けて、両頭針を挿脱自在に係止可能とした溶解液注入器具に関する。
【０００５】
ここで、両頭針は、上端と下端を有する円筒状のスカートと、このスカートの下端側に偏在してスカートの内空間を上下に区画する円板状のハブと、このハブの軸上、ハブを貫通して設けられた穿刺針を含んでなり、前記スカートの下端に近接して環状リブが設けられたものが望ましい。また、アダプターの衝合突板より上端側には、所定距離隔てて、両頭針のキックバックを防止するキックバック防止用リブを設けてもよく、前記２本の両頭針係止用リブを、前記アダプターの上端に近接して設けてもよい。また、両頭針のハブより下側のスカートにはスリットを設けるのが望ましい。アダプターの上端開口はキャップで閉鎖するようにしてもよい。
【０００６】
【発明の実施の形態】
次に本発明の実施例について図面に基づいて説明する。
図１は本発明の実施例を示す縦断面図であり、図２および図３はそれぞれ図１に示すアダプターおよび両頭針の縦断面図、図４は図１に示す溶解液注入器具に採用されるキャップの実施例を示す。また、図５は本発明の溶解液注入器具の使用方法を説明する図である。
図１に示すように、本発明の溶解液注入器具は、上端開口１１と下端開口１２を有する円筒状のアダプター１と、このアダプター１の上端部内壁にこの内壁に沿って摺動可能に係合保持された両頭針２を含んでなる。そして、アダプター１の下端部内壁には、下端から上端方向に内側に傾斜して設けられた複数の可撓性係合腕１３と、この係合腕１３より上端側に所定距離隔てて設けられた衝合突板１４が設けられており、アダプター１の下端開口１２に溶解液容器の口部を挿着したときに、係合腕１３と衝合突板１４の間に溶解液容器の口部が挟持され固定されるようになっている。
【０００７】
アダプター１は、例えばポリエチレンやポリプロピレン、ポリエステル、ＡＢＳ樹脂などの可撓性樹脂で形成された円筒状部材であり、図2に示すように、上端開口１１と下端開口１２を有し、下端部内壁に溶解液容器の口部への固定手段を備えている。この固定手段は、複数の可撓性を有する係合腕１３と、１つまたは複数の衝合突板１４からなっており、係合腕１３は下端から上端方向に内側に傾斜して設けられている。ここで内側に傾斜とは、係合腕１３の先端がアダプター１の内壁から最も離れている状態をいう。衝合突板１４はこの係合腕１３より上端側に所定距離隔てて設けられており、アダプター１の下端開口１２に、例えば図5に示すような溶解液容器Ｓの口部を挿着したときに、係合腕１３との間に口部を挟持して固定するようになっている。この場合、口部全体が固定手段によって挟持されるようにしてもよいが、図5に示すようなフランジＦが設けられている場合には、ストロークが小さくてすむので、フランジＦが挟持されるようにするのが望ましい。図2に示すものは、係合腕１３と衝合突板１４の間隔の小さいフランジ挟持用のものである。尚、衝合突板１４は環状に並んだ複数の突起であっても、１つのフランジ状のものであってもよく、要はアダプター１の下端開口１２に溶解液容器Ｓの口部を挿着したときに、係合腕１３との間に溶解液容器Ｓの口部を挟持して固定できるものであればどのような形状のものであってもよい。
【０００８】
アダプター１にはその衝合突板１４より上端側にキックバック防止用リブ１５を設けてもよい。このキックバック防止用リブ１５は、両頭針２の後述の環状リブ２３３と係合して、溶解液容器の口部のゴム栓に刺通された両頭針２が上端側に戻る、すなわちキックバックするのを防ぐためのもので、衝合突板１４との隔たりは、後述の両頭針２におけるスカート２３の下端２３２から環状リブ２３３までの距離に等しくなるように決められる。アダプター１にはまた、その上端２３１に近接して、両頭針２の環状リブ２３３と係合して両頭針２を解除可能に係止する両頭針係止用リブ１６を設けてもよい。この両頭針係止用リブ１６は、両頭針２の環状リブ２３３と係合して確実に両頭針２を保持できるとともに、環状リブ２３３が容易に乗り越えることができる低い小さな環状のリブであり、運搬などにより上端側にも下端側にも移動しないように、通常、環状リブ２３３の幅より若干広い間隔を置いて2本設けられる。尚、アダプター１の上端には、必要ならば、図4に示すようなキャップ３を冠着するためのキャップ装着部１７を設けてもよい。
【０００９】
両頭針2は、アダプター1と同様の可撓性樹脂で形成されており、図3に示すように、上端２３１と下端２３２を有する円筒状のスカート２３と、スカート２３の内空間を上下に区画する円板状のハブ２２と、このハブ２２の軸上、ハブ２２を貫通して設けられた穿刺針２１を含んでなる。両頭針2としては、ハブ２２をスカート２３の下端側に偏在して設け、スカート２３の下端２３２に近接して環状リブ２３３を設けたものが望ましい。また、ハブ２２より下側のスカート２３には、スカート２３の拡張を可能にするスリット２３４を設け、環状リブ２３３がアダプター1の両頭針係止用リブ１７やキックバック防止用リブ１６を乗り越え易くするのが望ましい。尚、２１１、２１２は流体通路である。
【００１０】
次に、本発明の溶解液注入器具の使用方法について、図5を用いて説明する。使用する溶解液注入器具は、アダプター1の上端開口１１がキャップ３で閉鎖されたものである。先ず、図5の▲１▼に示すように、溶解液注入器具を机などの上にキャップ3を下にして置き、次いで、下端開口１２から溶解液容器としての例えば生食ボトルＳを挿入すると、生食ボトルＳは、図5の▲２▼に示すように、その口部ＰのフランジＦが係合腕１３と衝合突板１４の間に挟持され、アダプター１に確り固定される。次に、キャップ３を外して（図5の▲３▼参照）、アダプター1を手で掴み、その上端開口１１を薬瓶Ｖの口部に宛がって一気に押し下げると、図5の▲４▼に示すように、薬瓶Ｖと生食ボトルＳが両頭針2を介して連通し、生食ボトルＳの生理食塩水が薬瓶Ｖの中に注入される。薬瓶Ｖをよく振って生理食塩水と薬瓶Ｖの薬剤を混合して液剤とし、薬瓶Ｖを取り外せば、生食ボトルＳはそのまま輸液容器として使用でき、また、液剤を注射器などに移して使用することもできる。
【００１１】
【発明の効果】
以上説明してきたことから明らかなように、本発明の溶解液注入器具を使用すれば、任意の薬剤と溶解液を混合することができる。また、操作が簡単なので、混注操作を行う手間を省くことができる。さらには、1回の操作で溶解液容器と薬剤容器を連通できるので、中の薬剤が外気で汚染される虞がない。
【図面の簡単な説明】
【図１】  本発明の実施例を示す縦断面図である。
【図２】  図１に示すアダプターの縦断面図である。
【図３】  図1に示す両頭針の縦断面図である。
【図４】  図2に示すアダプターの上端開口を閉鎖するのに適したキャップの一例を示す縦断面図である。
【図５】  本発明の溶解液注入器具の使用方法を説明する図である。
【符号の説明】
１  アダプター
１１  上端開口
１２  下端開口
１３  係合腕
１４  衝合突板
１５  キックバック防止用リブ
１６  両頭針係止用リブ
１７  キャップ装着部
２  両頭針
２１  穿刺針
２１１、２１２  流体通路
２２  ハブ
２３  スカート
２３１  上端
２３２  下端
２３３  環状リブ
２３４  スリット
３  キャップ
Ｓ  溶解液容器（生食ボトル）
Ｆ  フランジ
Ｖ  薬剤容器（薬瓶）
【図１】
0004058750.tif 000002
【図２】
0004058750.tif 000003
【図３】
0004058750.tif 000004
【図４】
0004058750.tif 000005
【図５】
0004058750.tif 000006